(57)【特許請求の範囲】
【請求項１】
複数の系のうちの１つを現用系とし、残りの系を予備系とした複数系システムにおいて、
前記複数の系における各系間を互いに接続する通信回線と、
前記通信回線および自系内部の通信回線のいずれかを選択して、通信相手のシステムからの通信回線を現用系からの通信回線に接続する各系のセレクタと
を備えることを特徴とする複数系システム。
【請求項２】
通信相手のシステムからの通信回線が複数の系のうちのいずれの系に接続されても、その系が現用系である場合には自系内部の通信回線、その系が現用系ではない場合にはその系から現用系への通信回線を選択するようにセレクタを制御するセレクタ制御部を各系に備える
ことを特徴とする請求項１記載の複数系システム。
【請求項３】
複数の系のうちの１つを現用系とし、残りの系を予備系とした複数系システムと他のシステムとの間の通信方法において、
前記複数の系における各系間を互いに接続する通信回線および自系内部の通信回線のいずれかを各系のセレクタで選択して、通信相手のシステムからの通信回線を現用系からの通信回線に接続する
ことを特徴とする通信方法。
【発明の詳細な説明】
【０００１】
【発明の属する技術分野】
この発明は、複数の系のうちの１つを現用系とし、残りの系を予備系とした複数系システム、およびその複数系システムと他のシステムとの間の通信方法に関するものである。
【０００２】
【従来の技術】
図５は従来の複数系システムとその通信相手のシステムとの接続関係の一例を示すブロック図である。図５において、１０１は複数ｎ個の系２１−１〜２１−ｎを有する従来の複数系システムであり、２は複数系システム１０１の通信相手であるシステムであり、１１１−１〜１１１−ｎは複数系システム１０１における各系２１−ｉ（ｉ＝１，・・・，ｎ）に接続された複数の通信回線である。
【０００３】
次に動作について説明する。
システム２が複数系システム１０１との間で通信を実行する場合、システム２と複数系システム１０１における各系２１−ｉのそれぞれとを接続する通信回線１１１−ｉのうち、システム２と通信する系２１−ｊ（ｊ＝１，・・・，ｎ）に対応する通信回線１１１−ｊを介して、システム２とその系２１−ｊとの間で通信が実行される。
【０００４】
このようにして、複数系システム１０１と他のシステム２との間で双方向の通信が実行される。
【０００５】
また、図６は従来の複数系システムとその通信相手のシステムとの接続関係の他の例を示すブロック図である。図６において、１０２は通信回線１１１−１〜１１１−ｎのうちの１本を選択する外部セレクタであり、１１２は外部セレクタ１０２とシステム２との間の通信回線である。なお、図６におけるその他の構成要素については図５に示すものと同様であるので、その説明を省略する。
【０００６】
次に動作について説明する。
外部セレクタ１０２は、複数系システム１０１における系２１−１〜２１−ｎからの通信回線１１１−１〜１１１−ｎのうちの、システム２と通信する系２１−ｊ（ｊ＝１，・・・，ｎ）に対応する通信回線１１１−ｊを、システム２からの通信回線１１２に接続させる。これにより、通信回線１１２、外部セレクタ１０２および通信回線１１１−ｊを介してシステム２とその系２１−ｊとの間で通信が実行される。
【０００７】
なお、上記の他、従来の通信方法としては、特開平２−２３２７６２号公報、特開平９−２３１１０４号公報などに記載のものがある。
【０００８】
【発明が解決しようとする課題】
従来の複数系システムおよび通信方法は以上のように構成されているので、図５に示す場合においては、複数系システム１０１との間で通信を実行するシステム２に複数系システム１０１の系２１−１〜２１−ｎの数ｎと同数のポートが必要になるとともに、複数系システム１０１とシステム２の間にｎ本の通信回線１１１−１〜１１１−ｎが必要になるが、（ｎ−１）本の通信回線については同時には通信が実行されないので、通信回線の利用効率を向上させることが困難であるなどの課題があった。
【０００９】
また、複数系システム１０１におけるいずれの系が現用系であるかをシステム２が判定するためには各系２１−ｉとの間で通信を実行する必要があり、通信相手のシステム２における通信処理が煩雑になるという課題があった。さらに、システム２が複数系システム１０１における現用系との間で通信を実行している場合において、複数系システム１０１における現用系の変更を通信相手のシステム２が検知することが困難であり、予備系となった系（元の現用系）との間で通信を継続してしまうという課題があった。
【００１０】
図６に示す場合においては、図５に示す場合と同様に、複数系システム１０１との間で通信を実行するシステム２に複数系システム１０１の系２１−１〜２１−ｎの数ｎと同数の通信回線１１１−１〜１１１−ｎが必要になるが、（ｎ−１）本の通信回線については同時には通信が実行されないので、通信回線の利用効率を向上させることが困難であるなどの課題があった。
【００１１】
また、図５に示す場合と同様に、複数系システム１０１におけるいずれの系が現用系であるかをシステム２が判定するためには、外部セレクタ１０２の選択する通信回線１１１−ｊを切り換えて各系２１−ｉとの間で通信を実行する必要があり、通信相手のシステム２における通信処理が煩雑になるという課題があった。さらに、図５に示す場合と同様に、システム２が複数系システム１０１における現用系との間で通信を実行している場合において、複数系システム１０１における現用系の変更を通信相手のシステム２が検知することが困難であり、予備系となった系（元の現用系）との間で通信を継続してしまうという課題があった。
【００１２】
この発明は上記のような課題を解決するためになされたもので、複数系システムと通信相手のシステムとの間の通信回線を、通信に使用されるもののみとするとともに、通信相手からの指示がない限り常に複数系システムにおける現用系との間で通信相手のシステムが通信を実行することができる複数系システムおよび通信方法を得ることを目的とする。
【００１５】
【課題を解決するための手段】
この発明に係る複数系システムは、複数の系における各系間を互いに接続する通信回線と、通信回線および自系内部の通信回線のいずれかを選択して、通信相手のシステムからの通信回線を現用系からの通信回線に接続する各系のセレクタとを備えるものである。
【００１６】
この発明に係る複数系システムは、通信相手のシステムからの通信回線が複数の系のうちのいずれの系に接続されても、その系が現用系である場合には自系内部の通信回線、その系が現用系ではない場合にはその系から現用系への通信回線を選択するようにセレクタを制御するセレクタ制御部を各系に備えるようにしたものである。
【００１８】
この発明に係る通信方法は、複数の系における各系間を互いに接続する通信回線および自系内部の通信回線のいずれかを各系のセレクタで選択して、通信相手のシステムからの通信回線を現用系からの通信回線に接続するものである。
【００１９】
【発明の実施の形態】
以下、この発明の実施の一形態を説明する。
実施の形態１．
図１はこの発明の実施の形態１による複数系システムの構成を示すブロック図である。図１において、１は実施の形態１による複数系システムであり、２は複数系システム１の通信相手である他のシステムであり、１１は複数系システム１とシステム２との間の通信回線である。
【００２０】
実施の形態１による複数系システム１において、２１−１〜２１−ｎは、それぞれが所定の各種処理を実行する、現用系または予備系としての複数ｎ個の系であり、２２は複数の系２１−１〜２１−ｎからの内部の通信回線のいずれかを選択して、通信相手のシステム２からの外部の通信回線１１に接続するセレクタであり、２３は複数系システム１における現用系である系２１−ｍの動作や状態を監視し、その系２１−ｍからの通信回線を選択するようにセレクタ２２を制御するセレクタ制御部である。
【００２１】
次に動作について説明する。
通信相手のシステム２は、複数系システム１との間で通信を実行する場合、常に通信回線１１を介して通信を実行する。なお、この際、通信相手のシステム２は、通信している系が現用系であるか予備系であるかを検知する必要はない。
【００２２】
一方、複数系システム１においては、セレクタ制御部２３が、複数系システム１における現用系である系２１−ｍの動作や状態を監視し、その系２１−ｍからの通信回線を選択するようにセレクタ２２を制御する。このセレクタ制御部２３による制御に従ってセレクタ２２は、現用系である系２１−ｍからの内部の通信回線を外部の通信回線１１に接続する。
【００２３】
したがって、現用系である系が切り換えられない限り、通信相手のシステム２と、複数系システム１における現用系である系２１−ｍとの間で双方向の通信が実行される。
【００２４】
以上のように、この実施の形態１によれば、複数の系２１−１〜２１−ｎからの通信回線のいずれかを選択して、通信相手のシステム２からの通信回線を現用系である系２１−ｍに接続するようにしたので、複数系システム１とシステム２との間の通信回線の数を低減するとともに、通信回線の利用効率を向上することができるという効果が得られる。
【００２５】
また、この実施の形態１によれば、複数系システム１における現用系である系２１−ｍの動作や状態を監視し、その系２１−ｍからの通信回線を、外部の通信回線１１と接続するようにしたので、通信相手のシステム２と複数系システム１における現用系との間で常に通信を実行することができるという効果が得られる。
【００２６】
実施の形態２．
図２はこの発明の実施の形態２による複数系システムの構成を示すブロック図である。図２において、２３Ａは複数系システム１における現用系である系２１−ｍの動作や状態を監視し、現用系である系２１−ｍからの通信回線を選択するようにセレクタ２２を制御するとともに、いずれかの系２１−ｉ（ｉ＝１，・・・，ｎ）からのセレクタ選択指示に応じて、現用系を切り換えるようにセレクタ２２を制御するセレクタ制御部である。なお、図２におけるその他の構成要素については実施の形態１によるものと同様であるので、その説明を省略する。
【００２７】
次に動作について説明する。
実施の形態２による複数系システム１では、通信相手のシステム２が、通信回線１１を介して通信中の系に対して、セレクタ２２を制御するための指示を供給する。そしてその指示が現用系選択指示である場合には、その系は、その指示に対応するセレクタ選択指示をセレクタ制御部２３Ａに供給する。セレクタ制御部２３Ａは、そのセレクタ選択指示を受け取ると、その指示により指定された系が現用系である場合には、その系の監視を継続し、その指示により指定された系が予備系である場合には、その系からの通信回線を選択させて通信回線１１と接続させる。なお、その他の動作については実施の形態１によるものと同様であるので、その説明を省略する。
【００２８】
以上のように、この実施の形態２によれば、実施の形態１による効果の他、複数の系２１−１〜２１−ｎのうちのいずれかの系２１−ｉからのセレクタ選択指示に応じて現用系を切り換えるようにしたので、通信相手のシステム２からいずれかの系２１−ｉへ所定の指示を供給することにより、その他の系との間でも通信相手のシステム２が通信を実行することができるという効果が得られる。
【００２９】
実施の形態３．
図３はこの発明の実施の形態３による複数系システムの構成を示すブロック図である。図３において、１は実施の形態３による複数系システムであり、２は複数系システム１の通信相手である他のシステムであり、１１は複数系システム１とシステム２との間の通信回線である。
【００３０】
実施の形態３による複数系システム１において、４１−１〜４１−ｎは、他の系からの通信回線４２および自系の内部回路６４からの通信回線４２のいずれかを選択して通信相手のシステム２からの通信回線１１に接続するセレクタ６１、他の系および自系を監視する系状態監視回路６３、系状態監視回路６３による監視結果に応じて現用系である系４１−ｍからの通信回線４２をセレクタ６１に選択させるセレクタ制御部６２、および所定の各種処理を実行する内部回路６４をそれぞれ有する複数ｎ個の系である。４２は系４１−ｉ（ｉ＝１，・・・，ｎ）のセレクタ６１と系４１−ｊ（ｊ＝１，・・・，ｎ）の内部回路６４との間の通信回線である。
【００３１】
次に動作について説明する。
通信相手のシステム２は、複数系システム１との間で通信を実行する場合、常に通信回線１１を介して通信を実行する。なお、この際、通信相手のシステム２は、通信している系が現用系であるか予備系であるかを検知する必要はない。
【００３２】
一方、複数系システム１においては、各系４１−ｉ（ｉ＝１，・・・，ｎ）におけるセレクタ制御部６２が、自系にシステム２からの通信回線１１が接続されているか否かを判断し、自系にシステム２からの通信回線１１が接続されている場合には、系状態監視回路６３による現用系である系４１−ｍの監視結果に応じて、その系４１−ｍからの通信回線４２を選択するようにセレクタ６１を制御する。そして、通信回線１１の接続された系４１−ｓにおけるセレクタ６１は、セレクタ制御部６２による制御に従って、自系の内部回路６４からの通信回線４２および他のすべての系４１−ｉ（ｉ＝１，・・・，ｎ、ただしｓを除く）からの通信回線４２のうちのいずれかを選択し、通信回線１１と接続させる。これにより、現用系である系４１−ｍとシステム２との間で双方向の通信が実行される。
【００３３】
一方、自系にシステム２からの通信回線１１が接続されていない場合には、セレクタ６１およびセレクタ制御部６２は特に動作しない。
【００３４】
以上のように、この実施の形態３によれば、複数の系４１−１〜４１−ｎにおける各系間を互いに接続する通信回線４２および自系内部の通信回線４２のいずれかを各系のセレクタ６１で選択して、通信相手のシステム２からの通信回線１１を現用系である系４１−ｍに接続するようにしたので、複数系システム１とシステム２との間の通信回線の数を低減して通信回線の利用効率を向上することができるとともに、通信相手のシステム２からの通信回線１１が複数系システム１のいずれの系４１−ｉに接続されていても通信相手のシステム２と複数系システム１における現用系との間で常に通信を実行することができるという効果が得られる。
【００３５】
実施の形態４．
図４はこの発明の実施の形態４による複数系システムの構成を示すブロック図である。図４において、７１は各系４１−ｉ（ｉ＝１，・・・，ｎ）における内部回路６４に内蔵された各系４１−ｉを制御する系コントローラである。なお、図４におけるその他の構成要素については実施の形態３によるものと同様であるので、その説明を省略する。
【００３６】
次に動作について説明する。
実施の形態４による複数系システム１では、通信相手のシステム２が、通信回線１１を介して通信中の系４１−ｓに対して、セレクタ６１を制御するための指示を供給する。そしてその指示が現用系選択指示である場合には、その系４１−ｓの系コントローラ７１は、その指示に対応するセレクタ選択指示をセレクタ制御部６２に供給する。セレクタ制御部６２は、そのセレクタ選択指示を受け取ると、その指示により指定された系が現用系である場合には、その系の監視を継続し、その指示により指定された系が予備系である場合には、その系からの通信回線４２を選択させて通信回線１１と接続させる。なお、その他の動作については実施の形態３によるものと同様であるので、その説明を省略する。
【００３７】
以上のように、この実施の形態４によれば、実施の形態３による効果の他、通信相手のシステム２からの通信回線１１が複数の系４１−１〜４１−ｎのうちのいずれの系に接続されても、その系４１−ｓが現用系である場合には自系内部の通信回線４２、その系４１−ｓが現用系ではない場合にはその系４１−ｓから現用系への通信回線４２を選択するようにしたので、通信相手のシステム２からいずれかの系４１−ｉへ所定の指示を供給することにより、その他の系との間でも通信相手のシステム２が通信を実行することができるという効果が得られる。
【００４０】
【発明の効果】
この発明によれば、複数の系における各系間を互いに接続する通信回線および自系内部の通信回線のいずれかを各系のセレクタで選択して、通信相手のシステムからの通信回線を現用系に接続するようにしたので、複数系システムと通信相手のシステムとの間の通信回線数を低減して通信回線の利用効率を向上することができるとともに、通信相手のシステムからの通信回線が複数系システムのいずれの系に接続されていても通信相手のシステムと複数系システムにおける現用系との間で常に通信を実行することができるという効果がある。
【００４１】
この発明によれば、通信相手のシステムからの通信回線が複数の系のうちのいずれの系に接続されても、その系が現用系である場合には自系内部の通信回線、その系が現用系ではない場合にはその系から現用系への通信回線を選択するようにセレクタを制御するようにしたので、通信相手のシステムからいずれかの系へ所定の指示を供給することにより、その他の系との間でも通信相手のシステムが通信を実行することができるという効果がある。
【図面の簡単な説明】
【図１】  この発明の実施の形態１による複数系システムの構成を示すブロック図である。
【図２】  この発明の実施の形態２による複数系システムの構成を示すブロック図である。
【図３】  この発明の実施の形態３による複数系システムの構成を示すブロック図である。
【図４】  この発明の実施の形態４による複数系システムの構成を示すブロック図である。
【図５】  従来の複数系システムとその通信相手のシステムとの接続関係の一例を示すブロック図である。
【図６】  従来の複数系システムとその通信相手のシステムとの接続関係の他の例を示すブロック図である。
【符号の説明】
１  複数系システム、２  システム、１１  通信回線、２２  セレクタ、２３Ａ  セレクタ制御部、４２  通信回線、６１  セレクタ、６２  セレクタ制御部。
【図１】
0003691339.tif 000002
【図２】
0003691339.tif 000003
【図３】
0003691339.tif 000004
【図４】
0003691339.tif 000005
【図５】
0003691339.tif 000006
【図６】
0003691339.tif 000007